(57)【特許請求の範囲】
【請求項１】
光学像を電気信号に変換する撮像手段と、
前記撮像手段による撮影の開始を指示する撮影指示手段と、
前記撮像手段で得られた電気信号を処理して画像データに変換する信号処理手段と、
前記信号処理手段で得られた画像データを記録媒体に記録する記録手段と、
前記記録媒体に記録されている音声ファイルを再生する再生処理手段と、
前記再生処理手段で再生された音声を聴き取り可能に出力する音声出力手段と、
前記記録媒体の空き容量を検出する手段と、
前記撮像手段を用いた撮影動作によって取得される画像の記録予定データ量を把握する手段と、
音声ファイルの消去実行の可否を指定する指示入力手段と、
前記空き容量が前記記録予定データ量に満たない場合に、前記記録媒体から音声ファイルを消去対象として抽出し、当該抽出された音声ファイルについて消去が許可されることを条件に前記ファイル消去手段による消去を実施して、前記記録媒体の記録領域を確保した後、撮影画像を前記記録媒体に記録する動作を実施する制御を行う制御手段と、
を備えたことを特徴とするオーディオ再生機能付きカメラ。
【請求項２】
前記制御手段は、前記消去対象として抽出された音声ファイルを前記再生処理手段及び前記音声出力手段を介して再生出力させた後、当該音声ファイルの消去実行の可否の指示を受け付けることを特徴とする請求項１に記載のオーディオ再生機能付きカメラ。
【請求項３】
前記制御手段は、前記空き容量が前記記録予定データ量に満たない場合にも撮影動作を許容し、消去可能な音声ファイルを操作者が選択して、当該音声ファイルを消去した後、画像データの記録動作を実行することを特徴とする請求項１又は２に記載のオーディオ再生機能付きカメラ。
【請求項４】
前記制御手段は、前記空き容量が前記記録予定データ量に満たない場合にも撮影動作を許容し、予め設定されている消去順序に従って消去対象の音楽ファイルを消去することによって記録領域を確保した後に、画像データの記録動作を実行することを特徴とする請求項１に記載のオーディオ再生機能付きカメラ。
【発明の詳細な説明】
【０００１】
【発明の属する技術分野】
本発明は、メモリカードその他の記録媒体に記録された音楽ファイルの消去方法、装置及びその方法を実施するためのコンピュータプログラム、並びにオーディオ再生機能付きカメラに関する。
【０００２】
【従来の技術】
デジタルカメラで撮影された画像は、スマートメディアやコンパクトフラッシュなどのフラッシュメモリカード、又はマイクロドライブと呼ばれる小型のハードディスクカードなどの記録メディアに記録される。これら記録メディアの容量は年々増加しており、画像データのみならず、デジタル化した音楽データを記録することができるようになった。
【０００３】
更に、ＭＰ３（MPEG-1 Audio Layer-III）、TwinVQ（Transform-Domain Weighted Interleave Vector Quantization）、及びWMA （Windows Media Audio ）といった音声圧縮技術により、長時間、多数の音楽記録も可能となっている。デジタルカメラにおいても、音声のデコード・エンコード回路を内蔵すれば、音楽プレイヤーとしての機能を付加することができる。近時、ＭＰ３オーディオ再生機能を備えたデジタルカメラが本願出願人によって開発され、商品化されている。
【０００４】
【発明が解決しようとする課題】
音楽プレイヤーとしての機能が付加されたデジタルカメラを用いて、記録メディア内のファイルを消去する場合、画像データに関しては液晶画面などの表示装置で確認することができるが、音楽ファイルの場合、ファイル名を表示させるようにしても、そのフォントがデジタルカメラで使用していなければ確認できないという欠点がある。
【０００５】
また、記録メディアには、画像データと音楽データが混在している可能性があるが、音楽ファイルは比較的大きなデータサイズを有し、複数枚分の画像データのデータ量に相当するため、音楽ファイルを記録した記録メディアは、撮影を行おうとしたときに直ぐに容量フル状態（記録可能残量無し状態）になってしまい、カメラ本来の撮影機能を阻害してしまうことが起こり得る。
【０００６】
本発明はこのような事情に鑑みてなされたもので、音楽プレイヤーその他の音声再生機能付き機器において音楽データを的確に消去するための方法、装置、及びプログラムを提供するとともに、その消去方法を実施するオーディオ再生機能付きカメラを提供することを目的とする。
【００１２】
【課題を解決するための手段】
請求項１に係るオーディオ再生機能付きカメラは、光学像を電気信号に変換する撮像手段と、前記撮像手段による撮影の開始を指示する撮影指示手段と、前記撮像手段で得られた画像信号を処理して画像データに変換する信号処理手段と、前記信号処理手段で得られた画像データを記録媒体に記録する記録手段と、前記記録媒体に記録されている音声ファイルを再生する再生処理手段と、前記再生処理手段で再生された音声を聴き取り可能に出力する音声出力手段と、前記記録媒体の空き容量を検出する手段と、前記撮像手段による撮影動作で取得される画像の記録予定データ量を把握する手段と、当該音声ファイルの消去実行の可否を指定する指示入力手段と、前記空き容量が前記記録予定データ量に満たない場合に、前記記録媒体に保存されている音声ファイルを消去対象として抽出し、当該抽出された音声ファイルについて消去実行が許可されることを条件に前記ファイル消去手段による消去を実施して、前記記録媒体の記録領域を確保した後、撮影画像の記録動作を実施する制御を行う制御手段と、を備えたことを特徴としている。
【００１３】
消去実行の許可は、消去動作を実行しようとする直前にユーザが入力するように構成してもよいし、予め消去を容認する旨の設定をしておいてもよい。同じ記録媒体に画像ファイルと音声ファイルが混在して記録され得る場合、音声ファイルだけを選択的に削除することにより、画像の記録領域が確保される。
【００１４】
請求項２に係る態様によれば、前記制御手段は、前記消去対象として抽出された音声ファイルを消去対象となる音声ファイルを前記再生処理手段及び前記音声出力手段を介して再生出力させた後、当該音声ファイルの消去実行の可否の指示を受け付けることを特徴としている。
【００１５】
請求項３に係る態様によれば、前記制御手段は、前記空き容量が前記記録予定データ量に満たない場合にも撮影動作を許容し、消去可能な音声ファイルを操作者が選択して、当該音声ファイルを消去した後、画像データの記録動作を実行することを特徴としている。
【００１６】
記録媒体に音声ファイルが記録されていれば、音声ファイルを削除することによって記録領域を確保することが可能になる。本態様では、撮影チャンスを逃さぬために、撮影動作の実行を許容し、音声ファイルの削除後に撮影画像を記録媒体に記録する処理を実施する。記録媒体中に音声ファイルが記録されているか否かの判定は、撮影動作の前に行ってもよいし、撮影動作後に行ってもよい。また、記録予定データ量に見合う記録領域を確保するために、複数の音声ファイルを削除する場合もある。
【００１７】
請求項４に係る態様によれば、前記制御手段は、前記空き容量が前記記録予定データ量に満たない場合にも撮影動作を許容し、予め設定されている消去順序に従って消去対象の音楽ファイルを消去することによって記録領域を確保した後に、画像データの記録動作を実行することを特徴としている。
【００１８】
記録媒体に記録されている音声ファイルについて、消去の優先順位を予め定めておき、画像記録領域の確保を必要とする場合には、その消去順序に従って１つ又は複数の音声ファイルを消去する。消去順位は、カメラによって自動付与されてもよいし、操作者が任意に設定できるようにしてもよい。操作者が消去順位を設定した場合には、設定によって当該音声ファイルの消去の許可が与えられたものとして扱うこともできる。
【００１９】
【発明の実施の形態】
以下添付図面に従って本発明に係る音楽ファイルの消去方法及びオーディオ再生機能付きカメラの好ましい実施の形態について説明する。
【００２０】
図１は、本発明の実施形態に係るデジタルカメラの外観斜視図である。同図に示したように、カメラ１０の前面には、撮影レンズ１２、ファインダー窓１４、ストロボ発光部１６、ストロボ調光センサ１８、マイクロフォン１９及びセルフタイマーランプ２０が設けられ、撮影レンズ１２の後方にはＣＣＤイメージセンサ（図１中不図示、図３において符号６８として記載）が配置されている。
【００２１】
カメラ上面には、電源スイッチ２２、シャッターボタン２４及びストロボ撮影のモードを切り換えるためのストロボボタン２６が配設されている。グリップ部２７と反対側のカメラ側面には、スピーカ２８、音声／映像出力端子３０、音声出力端子を含むリモコン端子３１、デジタル（ＵＳＢ）端子３２及び電源入力端子３３が設けられている。
【００２２】
電源スイッチ２２は、モード設定スイッチとしての役割を兼ねており、図１上でツマミを右方向（オーディオモード位置）に移動する時にはロックされ、ツマミを左方向に移動する時にはロックされないスライドスイッチで構成される。ツマミを左方向に移動させる毎に「カメラモード」とカメラ内電源をＯＦＦにする「ＯＦＦモード」とが交互に設定される。
【００２３】
電源スイッチ２２によって「オーディオモード」が設定されている場合には、カメラ本体の各種のスイッチは機能せず、リモコン端子３１に接続されたヘッドホン（イヤホン）３５付きのリモコン３６からの指令信号のみを受け付けるようになっている。また、電源スイッチ２２によってオーディオモードが選択された状態でリモコン端子３１にリモコン３６が接続されていない場合には、カメラ内電源はＯＦＦの状態に維持される。そして、リモコン端子３１にリモコン３６が接続された後、リモコン３６のスイッチ部３７、３８、３９を操作すると、カメラ内電源がＯＮになる。符号３７は再生／停止ボタン、符号３８は送り／戻しボタン、符号３９は音量調整ボタンであり、符号４０はＬＣＤパネルである。
【００２４】
シャッターボタン２４は２段階式に構成され、シャッターボタン２４を軽く押して止める「半押し」の状態で自動ピント合わせ（ＡＦ）及び自動露出制御（ＡＥ）が作動してＡＦとＡＥをロックし、「半押し」から更に押し込む「全押し」の状態で撮影が実行される。シャッターボタン２４は、静止画の記録開始の指示を与える手段であるとともに、動画の録画ボタン（録画のスタート／ストップボタン）として兼用される。
【００２５】
カメラ底面には、メモリカード（図１中不図示、図３中符号９４として記載）のスロットカバーを兼ねた電池カバー４２が設けられており、電池カバー４２の奥には図示せぬカードスロット及び電池収納室が形成されている。なお、符号４６はハンドストラップである。
【００２６】
図２は、カメラ１０の背面図である。カメラ背面には、ファインダー４８、モードダイヤル５０、左キー５２、右キー５４及び上／下レバー５６、メニュー／実行キー５８、キャンセル／戻るキー６０、表示キー６２及び液晶モニタ６４等が設けられている。モードダイヤル５０は、カメラの機能（モード）を変更する手段であり、モードダイヤル５０を回動操作することにより、スチル撮影を行う撮影モード、撮影した画像を再生する再生モード、又は動画撮影を行うムービーモードに設定できる。
【００２７】
左キー５２、右キー５４及び上／下レバー５６は、それぞれ対応する４方向（左、右、上、下）の指示を入力する操作部であり、左キー５２及び右キー５４は、それぞれ再生モード時に１コマ逆送りボタン、１コマ順送りボタンとして機能し、上／下レバー５６は、再生ズーム機能や撮影時の電子ズーム機能における倍率調整用のズームレバーとして用いられる。
【００２８】
また、左キー５２、右キー５４及び上／下レバー５６は、メニュー／実行キー５８の押下によって表示されるメニュー画面からメニュー項目を選択したり、各メニューにおける各種設定項目の選択を指示する操作ボタンとして機能する。メニュー／実行キー５８は、各モードの通常画面からメニュー画面へ遷移させる時、或いは、選択内容の確定、処理の実行（確認）指示の時などに使用される。キャンセル／戻るキー６０は、メニューから選んだ項目の取消（キャンセル）や一つ前の操作状態に戻る時などに使用される。表示キー６２は、液晶モニタ６４をＯＮ／ＯＦＦ操作したり、再生方法や再生中のコマ番号等の表示／非表示を切り換えるための操作手段である。
【００２９】
液晶モニタ６４は、撮影時に画角確認用の電子ファインダーとして使用できるとともに、撮影した画像のプレビュー画やカメラ１０に装填されたメモリカード９４から読み出した再生画像等を表示することができる。また、左キー５２、右キー５４及び上／下レバー５６を使用したメニューの選択や各メニューにおける各種設定項目の設定も液晶モニタ６４の表示画面を用いて行われる。更に、液晶モニタ６４には、撮影可能コマ数（動画については撮影可能時間）や再生コマ番号の表示、ストロボ発光の有無、マクロモード表示、記録画質（クオリティー）表示、画素数表示等の情報も表示される。
【００３０】
図３は、カメラ１０の内部構成を示したブロック図である。撮影レンズ１２は、１枚又は複数枚のレンズで構成され、単焦点レンズでもよいし、ズームレンズ等の焦点距離可変のものでもよい。撮影レンズ１２を通過した光は、絞り６６によって光量が調節された後、ＣＣＤイメージセンサ（以下、ＣＣＤという。）６８に入射する。ＣＣＤ６８の受光面には、フォトセンサが平面的に配列されており、撮影レンズ１２を介してＣＣＤ６８の受光面に結像された被写体像は、各フォトセンサによって入射光量に応じた量の信号電荷に変換される。なお、ＣＣＤ６８は、シャッターゲートパルスのタイミングによって各フォトセンサの電荷蓄積時間（シャッタースピード）を制御する、いわゆる電子シャッター機能を有している。
【００３１】
各フォトセンサに蓄積された信号電荷は、ＣＣＤドライバ７０から与えられるパルスに基づいて信号電荷に応じた電圧信号（画像信号）として順次読み出される。ＣＣＤ６８から出力された画像信号は、アナログ処理部７２に送られる。アナログ処理部７２は、サンプリングホールド回路、色分離回路、ゲイン調整回路等の信号処理回路を含み、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。
【００３２】
アナログ処理部７２から出力された信号は、Ａ／Ｄ変換器７４によりデジタル信号に変換された後、画像信号処理回路７６に送られる。なお、タイミングジェネレータ（ＴＧ）７８は、ＣＰＵ８０の指令に従ってＣＣＤドライバ７０、アナログ処理部７２及びＡ／Ｄ変換器７４に対してタイミング信号を与えており、このタイミング信号によって各回路の同期がとられている。
【００３３】
画像信号処理回路７６は、輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ８０からのコマンドに従って画像信号を処理する。画像信号処理回路７６に入力された画像データは、輝度信号（Ｙ信号）及び色差信号（Ｃr,Ｃb 信号）に変換されるとともに、ガンマ補正等の所定の処理が施された後、ＲＡＭ８２に格納される。
【００３４】
撮影画像を表示出力する場合、ＲＡＭ８２から画像データが読み出され、バス８４を介してビデオエンコード回路８６に転送される。ビデオエンコード回路８６に送られたデータは、表示用の所定方式の信号（例えば、ＮＴＳＣ方式のカラー複合映像信号）に変換された後、外部インターフェース８８を介して液晶モニタ（ＬＣＤ）６４に出力される。こうして、当該画像データの画像内容が液晶モニタ６４の画面上に表示される。
【００３５】
ＣＣＤ６８から出力される画像信号によってＲＡＭ８２内の画像データが定期的に書き換えられ、その画像データから生成される映像信号が液晶モニタ６４に供給されることにより、ＣＣＤ６８を介して入力する画像がリアルタイムに液晶モニタ６４に表示される。撮影者は、液晶モニタ６４に映し出される画像（スルー画）、或いはファインダー４８によって撮影画角を確認できる。
【００３６】
モードダイヤル５０により撮影モードが設定され、シャッターボタン２４が押されると撮影開始指示（レリーズＯＮ）信号が発せられる。ＣＰＵ８０は、この指示信号の受入に呼応して、記録用の画像データの取り込みを開始する。また、ＣＰＵ８０は圧縮伸張回路９０にコマンドを送り、これにより圧縮伸張回路９０は、ＲＡＭ８２上の画像データをＪＰＥＧその他の所定の形式に従って圧縮する。
【００３７】
圧縮された画像データは、カードインターフェース９２を介してメモリカード９４に記録される。本例のカメラ１０では、画像データを保存する手段として、例えばスマートメディア（Solid-State Floppy Disk Card）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。また、画像ファイルを保存する手段は、カメラ本体に着脱可能なリムーバブルメディアに限らず、カメラ１０に内蔵された記録媒体（内部メモリ）であってもよい。
【００３８】
モードダイヤル５０によってムービーモードが設定されたときには、動画記録が可能となり、シャッターボタン２４の押下によって録画動作がスタートし、もう一度シャッターボタン２４を押下すると録画動作が停止する。シャッターボタン２４を押下継続している期間、録画動作を行い、押下解除により録画を停止するようにしてもよい。１回の撮影で記録できる最長時間、画像サイズ、フレームレート及び記録方式などは予め定められており、例えば、１回の撮影で最長約８０秒の音声付きムービーを撮影でき、320 ×240 ピクセル、１０フレーム／秒、Motion JPEG 形式によってメモリカード９４に記録される。
【００３９】
モードダイヤル５０によって再生モードが設定されると、メモリカード９４から画像ファイルが読み出される。読み出された画像データは、圧縮伸張回路９０によって伸張処理され、ビデオエンコード回路８６を介して液晶モニタ６４に出力される。
【００４０】
次に、オーディオ再生機能について説明する。カメラ１０のオーディオ再生機能は、メモリカード９４に記録されているＭＰ３フォーマットなどの音楽ファイルを再生するものである。電源スイッチ２２によってオーディオモードが設定され、リモコン端子３１にヘッドホン３５付きのリモコン３６が接続されていると、カメラ内電源がＯＮとなり、オーディオ再生が可能となる。オーディオモードでは、ＣＰＵ８０はリモコン３６からのリモコン信号のみを受け付け、カメラ本体の操作部からは電源スイッチ２２以外のスイッチ入力は受け付けないようになっている。
【００４１】
カメラ１０がオーディオモードに設定された状態でリモコン３６の再生ボタン３７が押されると、カードインターフェース９２を介してメモリカード９４から音楽ファイルが読み出される。音楽ファイルは、パソコンや音楽配信端末等から直接、又はデジタル（ＵＳＢ）端子３２を介してメモリカード９４内にダウンロードされているものとする。
【００４２】
メモリカード９４から読み出された音楽ファイルの圧縮データは、圧縮伸張回路９０を介して非圧縮の音楽データに伸張される。この伸張された音楽データは、オーディオデコーダ回路９６により音声信号に変換され、外部インターフェース８８を介してスピーカ９８（図１の符号２８に相当）又は音声出力端子１００に接続されるヘッドホン３５その他の音声出力手段を介して音声として出力される。
【００４３】
ＣＰＵ８０は、本カメラシステムを統括制御する制御部である。ＣＰＵ８０は、電源スイッチ２２、シャッターボタン２４その他の操作部から受入する入力信号に基づいて、対応する回路の動作を制御し、液晶モニタ６４における表示の制御、ストロボ発光制御、オートフォーカス（ＡＦ）制御及び自動露出（ＡＥ）制御等を行う。ＣＰＵ８０は、ＣＣＤ６８を介して入力された画像データに基づいて焦点評価演算やＡＥ演算などの各種演算を行い、その演算結果に基づいてレンズ駆動部１０４を制御して撮影レンズ１２を合焦位置に移動させる一方、図示せぬアイリス駆動部を制御して絞り６６を適正絞り値に設定するとともにＣＣＤ６８の電荷蓄積時間を制御する。
【００４４】
ＲＯＭ１０６にはＣＰＵ８０が処理するプログラム及び制御に必要な各種データ等が格納され、ＲＡＭ８２は画像処理領域の他、ＣＰＵ８０が各種の演算処理等を行う作業用領域を有する。ＥＥＰＲＯＭ（不揮発性メモリ）１０８には、各種設定情報などが格納される。
【００４５】
ストロボ装置１１０は、ストロボ発光部１６、ストロボ調光センサ１８、コンデンサ１１２、及びストロボ制御回路１１４から構成される。図１で説明したストロボボタン２６の操作によって、低輝度時にストロボを自動的に発光させる「低輝度自動発光モード」、「赤目軽減モード」、被写体輝度にかかわらずストロボ発光させる「強制発光モード」、又はストロボ発光を禁止させる「発光禁止モード」などの各モードに設定可能である。
【００４６】
ＣＰＵ８０は、操作者が選択したストロボモードに応じて、撮影実行時にストロボ制御回路１１４にコマンドを与える。ストロボ制御回路１１４は、ＣＰＵ８０から加えられる指令に基づいてコンデンサ１１２の充電制御やストロボ発光部１６（例えば、キセノン管）への放電（発光）タイミングを制御する。
【００４７】
ストロボ調光センサ１８は、ストロボ発光によって照らされる被写体からの反射光を受光し、受光量に応じた電気信号に変換する受光素子が用いられている。ストロボ調光センサ１８の検出信号は図示せぬ積分回路により積算され、積算受光量が所定の適正受光量に達した時にストロボの発光が停止される。
【００４８】
カメラ１０の電源は、バッテリ１２０又は電源入力端子３３に接続される外部電源（不図示）を用いることができる。バッテリ１２０等から供給される電力は、ＤＣ／ＤＣコンバータを含む電源回路１２２によって所要の電圧に変換された後、各回路ブロックに電源供給される。
【００４９】
図４は、メモリカード９４のディレクトリ構造を示す図である。同図に示したディレクトリ名及びファイル名は、一例であり適宜変更可能である。ルート（root) ディレクトリの下に、画像ファイル格納用ディレクトリ(DCIM)、ＤＰＯＦファイル格納用ディレクトリ（MISC) 、及び音楽ファイル格納用ディレクトリ(dsam)が形成されている。画像ファイル格納用ディレクトリ(DCIM)の下層には、複数のサブディレクトリ「100 ＿fuji」、「101 ＿fuji」…が形成されており、ディレクトリ毎に分類して画像ファイルを保存することができる。
【００５０】
例えば、このカメラ１０によって、JPEG形式で保存された静止画ファイルは「DSCF****.jpg」というファイル名（ただし、「****」は4 桁の数字列とする。) で記録され、モーションJPEG形式で保存された動画ファイルは、「DSCF****.avi」というファイル名で記録される。ファイル名は、記録時にＣＰＵ８０によって自動付与される。
【００５１】
ＤＰＯＦ（Digital Print Order Format）ファイルは、当該メモリカード９４に記録されている画像をプリントする際に参照されるプリント情報が記述されたプリント情報ファイルであり、例えば、プリント枚数やトリミング等に関する情報、及びプリント済みの有無の情報等が記録可能で、各コマのプリント情報は１つのＤＰＯＦファイル（本例では、ファイル名「autprint.mrk」) にテキストファイル形式で記載される。
【００５２】
音楽ファイルは、ＭＰ３形式に従って保存され、各ファイルには「****.svq」というファイル名が付与される。音楽ファイルは、図示せぬパソコンから登録したり、専用の音楽配信端末などからダウンロードするなどにより、メモリカード９４に格納される。このように、音楽ファイルは、画像と関連付けされておらず、画像と無関係に（独立に）記録／削除が可能となっている。音楽ファイルは、一旦削除しても、後で自宅のパソコンからのコピーしたり、音楽配信端末から再ダウンロードするなどによって、同じ内容のファイルを再取得できる可能性が高い。これに対し、撮影すべき画像は、その撮影チャンスを逃したら、二度と同じ画像を記録できない。そのため、再取得性のある音楽ファイルを犠牲にしても、撮影を優先することの意義は大きい。
【００５３】
図５は、カメラ１０における消去メニューの一例を示す図である。撮影モード、ムービーモード、又は再生モードの各モード下でメニュー／実行キー５８を押すと、それぞれのモードに対応したメニュー画面が表示される。例えば、再生モードの一コマ再生画面のときにメニュー／実行キー５８を押すと、図５に示すようなメニュー画面が表示される。メニューには「消去」、「オートプレイ」、「リサイズ」、「プロテクト」、「ＤＰＯＦ」の５項目があり、液晶モニタ６４の画面下にこれら項目を示すアイコン１３０が一列に配列されたメニューバーが表示される。
【００５４】
左キー５２又は右キー５４で項目を選択すると各項目に対応するサブメニューのメニューバルーン１３２が表示される。サブメニューの中から所望の設定内容を上／下レバー５６で選択し、その選択内容をメニュー／実行キー５８の押下により確定する。
【００５５】
「消去」は、メモリカード９４内のファイルを削除するためのモードである。「オートプレイ」は、メモリカード９４内の画像ファイルを１つずつ順番に自動再生するモードである。ただし、動画ファイルの場合には先頭コマの画像が代表画像として再生される。「オートプレイ」の項目では画面切換時のワイプパターンを設定でき、「ワイプなし」、「ワイプ１」、「ワイプ２」、「ワイプ３」の何れかを選択することができる。ワイプ１〜３にはそれぞれ所定のワイプパターンが定義されている。「リサイズ」の項目では画素数の変更が可能であり、「2400×1800→1280×960 」、「2400×1800→640 ×480 」、又は「1280×960 →640 ×480 」の何れかを選択できる。
【００５６】
「プロテクト」のサブメニューには、「全コマ解除」、「全コマプロテクト」、「１コマ設定」の３つの選択項目が含まれている。上／下レバー５６で所望の項目を選択してメニュー／実行キー５８を押すと、それぞれのプロテクト処理実行の確認画面となり、その確認画面で更にメニュー／実行キー５８を押すことで、プロテクト処理が実行され、読み出し専用（リードオンリー）データとなる。
【００５７】
「ＤＰＯＦ」のサブメニューには、「全コマ指定／解除」、「確認／解除」、「一コマ指定」、「日付有り」の選択項目が含まれている。ＤＰＯＦファイルを予めデジタルカメラ１０やパソコン等で作成し、メモリカード９４に画像とともに記録しておくことで、ラボ注文時やプリント装置での印画時においてプリント内容の指定が不要となる。
【００５８】
「消去」のメニューバルーン１３２には、「フォーマット」、「全曲♪」、「１曲♪」、「全コマ」、「１コマ」の５種類のコマンドが含まれる。「フォーマット」は、記録メディアの論理フォーマットに従い、最適フォーマットを行うコマンドである。「全曲♪」は、図４で説明した音楽ファイル格納用ディレクトリ（dsam) 下の音楽ファイル全てを削除する。「１曲♪」は、操作者が対象音楽ファイルを選択して、指定された楽曲を１曲ずつ削除する。「全コマ」は、プロテクトファイル（リードオンリーファイル）以外の画像コマを全部消去する。「１コマ」は、図４で説明した画像ファイル格納用ディレクトリ（DSIM) 下の画像ファイルを対象としており、操作者が対象画像を１コマずつ選択し、指定された画像を１コマずつ消去していく。
【００５９】
カメラモードで１曲ずつ音楽ファイルを削除する場合、図６（ａ）に示すように、液晶モニタ６４に音楽ファイルのファイル名を表示し（拡張子は省略してもよい。）、上／下レバー５６によってカーソル１３４を移動させ、対象ファイルを選択する。
【００６０】
例えば、「0001」を選択し、メニュー／実行キー５８を押すと、図６（ｂ）のような確認画面となり、「0001を消去しますか？」という確認メッセージが表示されると同時に、当該音楽ファイルの曲の一部（例えば、先頭部分の一定時間分）が再生される。画面下の操作案内に従って、メニュー／実行キー３４を押すと、消去が実行される。もし、キャンセル／戻るキー６０を押したときは、消去を実行せずに、図６（ａ）のファイル選択画面に戻る。
【００６１】
なお、音楽ファイルには、曲名や演奏者名など、その音楽ファイルの内容に関する付属情報（データ）を有しているので、ファイル名に代えて又はファイル名と併せて、当該付属情報を液晶モニタ６４に表示することも可能である。しかし、音楽ファイルはパソコン等からダウンロードされるため、ファイル名・曲名等は固有のフォントをもつ場合があり、カメラ１０側で表示ができず正確性に欠ける。
【００６２】
そこで、本実施形態に係るカメラ１０は、音楽ファイルを消去しようとする場合、当該ファイルの一部を再生し、消去対象として正しいか否かの確認を行うように、操作者に注意を促すように構成されている。その際、表示画面（液晶モニタ６４又はＬＣＤパネル４０）には参考となる情報（曲番号、時間など）を表示してもよい。再生するファイルの一部としては、曲の先頭部分、或いは、キー操作によって特定時間後にジャンプするようにしてもよい。操作者は、再生される音楽を聞きながら、或いは、音楽再生終了後に消去の実行又はキャンセルの指示を入力する。
【００６３】
次に、上記の如く構成されたカメラ１０の動作について説明する。図７は、音楽ファイルの消去手順を示すフローチャートである。メモリカード９４から音楽ファイルを消去する場合、まず、消去対象とする音楽ファイルの選択を受け付け、ファイルの選択が行われたか否かを判定する（ステップＳ１１０）。
【００６４】
選択作業がキャンセルされた場合（ファイルが選択されなかった場合）は、処理を終了する（ステップＳ１１２）。ステップＳ１１０において音楽ファイルを選択した場合には、ステップＳ１１４に進み、消去実行の可否を判定する。ここで消去取消の指示が入力されると、処理を終了する（ステップＳ１１６）。その一方、ステップＳ１１４において消去実行の指示が入力されると、対象ファイルの音楽を再生する処理を行う（ステップＳ１１８）。例えば、曲の初め部分を一定時間再生して自動的に停止し、操作者に対して消去実行の再確認指示を受け付ける。なお、このとき「リピート（繰り返し）」、「続きを聴く」、「再生の中止」などの指示入力を受け付けても良い。
【００６５】
音楽再生後、操作者によって消去実行の確認指示が与えられたか否かを判定し（ステップＳ１２０）、確認指示の入力があった場合（ＹＥＳ判定時）には、音楽ファイルを実際に消去する動作を実行して（ステップＳ１２２）、処理を終了する（ステップＳ１２４）。また、ステップＳ１２０において消去キャンセルの指示が与えられた場合には、消去動作を実行せずに、本処理を終了する（ステップＳ１２６）。
【００６６】
一般に、１曲分の音楽ファイルは、１枚分の画像データよりも容量が比較的大きく、長時間分の音楽をメモリカード９４にダウンロードしてしまうと、撮影可能領域（画像記録領域）が小さくなる。図７に示した手順に従って音楽ファイルを削除することが可能であるが、撮影モードで撮影中に突然、カードフル状態（メモリカード９４の空き容量が不足して撮影画像を記録できない状態）となり、更に撮影を続けたいような場合に、消去メニューから消去を行う操作は煩雑である。
【００６７】
そこで、撮影モードでカードフル状態が検出され、更に操作者が撮影しようとする動作が検出された場合には、音楽ファイルを再生し（或いは、表示画面にファイル情報を表示し）、撮影者（操作者）に対して消去の可否の確認を促す。撮影者は、再生された音楽ファイルを削除してもよいと認める場合は、そのままシャッターボタン２４を押して撮影実行を指示する。この指示により、カメラ１０は音楽ファイルを消去して画像データの記録領域を確保し、撮影画像をメモリカード９４に書き込む。なお、撮影しようとする動作の検知は、撮影者がシャッターボタン２４に触れる、或いは、シャッターボタン２４を半押しするなどの操作動作を検知する態様がある。
【００６８】
もし、操作者が消去を希望しない音楽ファイルが消去対象として再生された場合には、撮影者はシャッターボタン２４から指を離すか、半押しを解除する。そして、再度、撮影者がシャッターボタン２４に触れるか、半押しを行うことにより、前回の音楽ファイルの次のファイルを再生する。
【００６９】
また、カードフル状態でも、撮影動作を実施し、その画像データをカメラの内蔵バッファー（図３のＲＡＭ８２に相当）に保留する一方、音楽ファイルを再生して、撮影者に対して消去を容認するファイルを選択させ、選択された音楽ファイルの削除実行後に、前記保留していた画像データをメモリカード９４に記録するようにしてもよい。もちろん、かかる動作制御は、メモリカード９４内に音楽ファイルが存在する場合に限り有効であり、メモリカード９４内に音楽ファイルが存在しない場合には、撮影動作は禁止される。
【００７０】
図８は、カメラ１０が撮影準備になった時に音楽消去の確認を行う第１の制御例を示すフローチャートである。
【００７１】
シャッターボタン２４の半押し、又はシャッターボタン２４に指が触れたことを検知した時に撮影準備の指示が発せられる。この撮影準備の指示入力の有無を判定し（ステップＳ２１０）、指示無き時は処理を終了する（ステップＳ２１２）。
【００７２】
他方、ステップＳ２１０において撮影準備の指示が入力された場合は、カードフルの状態であるか否かの判定を行う（ステップＳ２１４）。もし、メモリカード９４に撮影可能な空き容量がある場合には、撮影記録処理に移行して（ステップＳ２１６）、撮影動作と記録動作を実行した後、本処理を抜ける（ステップＳ２１８）。
【００７３】
ステップＳ２１４においてカードフル状態であると判定した場合には、メモリカード９４に格納されているＮ番目の音楽ファイルの再生処理を行う（ステップＳ２２０）。なお、カウンタＮの初期値は１に設定されているものとする。この音楽再生処理（ステップＳ２２０）は、撮影を実行した場合に消去対象となる音楽ファイルを予告するものであり、操作者は再生される音楽ファイルの内容を確認して、撮影の実行／中止を決定できる。
【００７４】
消去を容認して撮影を実行するときは、シャッターボタン２４を全押しする。また、撮影を中止するときはシャッターボタン２４を元に戻す、又はシャッターボタン２４から指を離す。
【００７５】
ステップＳ２２０の音楽再生後、ＣＰＵ８０は撮影中止の指示入力の有無を判定する（ステップＳ２３０）。シャッターボタン２４が元に戻され、又はシャッターボタン２４から指を離したことを検知した場合には、「撮影中止」と判定され、ステップＳ２４０に進む。ステップＳ２４０では、ステップＳ２２０で再生した音楽ファイルがメモリカード９４内の最後の音楽ファイル（音楽ファイル総数Ｍの場合に、Ｎ＝Ｍ番目のファイル）であったか否かを判定する。
【００７６】
最後の音楽ファイルでない場合（ＮＯ判定時）には、カウンタＮを＋１カウントアップして（ステップＳ２４２）、本処理を終了する（ステップＳ２４４）。この場合、次回ステップＳ２２０を通る時には、次曲の音楽ファイルが再生されることになる。
【００７７】
また、ステップＳ２４０において、最後の音楽ファイルであった場合（ＹＥＳ判定時）には、カウンタＮを１に戻して（ステップＳ２５０）、本処理を終了する（ステップＳ２５２）。この場合、次回ステップＳ２２０を通るときには、先頭（第１曲目）の音楽ファイルが再生されることになる。
【００７８】
ステップＳ２３０で、撮影実行の指示が入力された場合には、ステップＳ２６０に進み、再生した音楽ファイルの消去を実施する。次いで、撮影動作を実行し（ステップＳ２６２）、得られた画像をメモリカード９４に記録する処理を行う（ステップＳ２６４）。こうして、本処理を終了する（ステップＳ２６６）。
【００７９】
図９は、第２の制御例を示すフローチャートである。図９中図８と共通する工程には同一のステップ番号を付し、その説明は省略する。図８のフローチャートでは、音楽ファイルを消去してから（ステップＳ２６０）、撮影・記録を実行したが（ステップＳ２６２〜Ｓ２６４）、図９に示すように、先に撮影を実行してから（ステップＳ２６１）、音楽ファイルを削除し（ステップＳ２６３）、削除後、撮影画像の記録処理（ステップＳ２６４）を行う態様も可能である。
【００８０】
図１０は、第３の制御例を示すフローチャートである。図１０中図８と共通する工程には同一のステップ番号を付し、その説明は省略する。図１０は、撮影時の記録ファイルの予定容量に相当する音楽ファイルを抽出し、その抽出したファイル群の中から順に音楽再生して、消去対象のファイルを提示する制御例が示されている。
【００８１】
ステップＳ２１４において、カードフルの状態であるとの判定を得た場合には、ステップＳ２１９に進み、ファイルサイズの選別処理を行う。この処理は、撮影画素数と圧縮率の組合せによって規定される画像のファイルサイズ（記録ファイルサイズの予測値）を判断し、メモリカード９４内に、その予定サイズ以上の音楽ファイルが存在するか否かの選別を行うものである。
【００８２】
ファイルサイズ選別処理の結果に基づいて、メモリカード９４内に適合する音楽ファイルが存在するか否かの判定を行う（ステップＳ２２１）。適合ファイルが存在しない場合には、処理を終了する（ステップＳ２２２）。その一方、適合ファイルが存在する場合には、ステップＳ２２４に進む。
【００８３】
ステップＳ２２４では、適合するファイル群のうち、Ｎ番目の音楽ファイルを再生する処理を行う。なお、Ｎの初期値は１に設定されているものとする。適合するファイルには、連続番号が自動付与され、適合ファイル群の１曲目から順に消去候補となる。連続番号は、メモリカード９４内の曲順に沿って付与されてもよいし、ファイルサイズが画像の予定サイズに近いものから順に付与されてもよい。
【００８４】
ステップＳ２３０において「撮影中止」と判定された場合には、ステップＳ２４１に進む。ステップＳ２４１では、再生した音楽ファイルが適合ファイル群の中の最後の音楽ファイルであるか否かの判定を行い、最後のファイルでなければ、カウンタＮにＮ＋１を設定して（ステップＳ２４２）、次の曲を消去候補にする。また、ステップＳ２４１において、最後のファイルであった場合は、カウンタＮを１に戻して（ステップＳ２５０）、適合ファイル群の中の先頭（第１曲目）の音楽ファイルを消去候補にする。
【００８５】
ステップＳ２２４で消去対象として予告された音楽ファイルの消去を操作者が容認し、撮影動作の実行を指示した場合には、当該音楽ファイルを消去して（ステップＳ２６０）、撮影及び記録動作を実行する（ステップＳ２６２〜Ｓ２６４）。なお、図９で説明したように、ステップＳ２６０とステップＳ２６２の工程順の入れ換えは可能である。
【００８６】
図１１は、第４の制御例を示すフローチャートである。図１１では、撮影を実行した後に音楽ファイルを選択・削除してから撮影画像を記録する制御例が示されている。まず、撮影動作を実行してから（ステップＳ３１０）、カードフル状態か否かの判定を行う（ステップＳ３１２）。カードフル状態で無ければ、撮影画像の記録動作を行い（ステップＳ３１４）、処理を終了する（ステップＳ３２０）。
【００８７】
ステップＳ３１２において、カードフル状態であった場合は、メモリカード９４内に音楽ファイルが存在するか否かの判定を行い（ステップＳ３１８）、音楽ファイルが存在しない場合には、記録動作を実行せずに、処理を終了する（ステップＳ３２０）。その一方、メモリカード９４内に音楽ファイルが存在する場合は、第Ｎ番目の音楽ファイルの再生を行い（ステップＳ３３０）、消去実行の可否の確認を行う（ステップＳ３３２）。消去不可の判定（ＮＯ判定）を得た場合には、記録中止の可否を判定する（ステップＳ３４０）。画像の記録を中止する旨の指示が入力された場合（ＹＥＳ判定時）には、記録動作を実施せずに本処理を終了する（ステップＳ３４２）。
【００８８】
ステップＳ３４０において、記録中止の指示無き場合（ＮＯ判定時）、ステップＳ３５０に進み、音楽ファイル数とカウンタＮの値（カウント数）が一致したか否かを判定する。カウント数Ｎが音楽ファイル数Ｍと一致しなければ、カウンタを＋１カウントアップ（Ｎ＝Ｎ＋１）してから（ステップＳ３５２）、ステップＳ３３０に戻る。これにより、次曲が消去対象として予告再生される。
【００８９】
ステップＳ３５０において、カウント数Ｎが音楽ファイル数Ｍと一致した場合（つまり、最後の音楽ファイルを再生した場合）には、カウンタＮを１に戻してから（ステップＳ３５４）、ステップＳ３３０に戻る。こうして、再び先頭の音楽ファイルが消去対象として予告再生される。
【００９０】
再生された音楽ファイルの消去が容認され、ステップＳ３３２においてＹＥＳ判定（「消去ＯＫ」の判定）を得た時は、当該音楽ファイルの削除を実行してから（ステップＳ３６０）、撮影画像の記録処理を行う（ステップＳ３６２）。こうして、本処理を終了する（ステップＳ３６４）。
【００９１】
図１２は、第５の制御例を示すフローチャートである。図１２中図１１に示した例と共通する工程には同一のステップ番号を付し、その説明は省略する。図１２によれば、先ず、カードフルの状態か否かを判定し（ステップＳ３１１）、カードフル状態で無ければ、ステップＳ３１５に進んで、撮影及び記録処理を実行する。
【００９２】
ステップＳ３１１において、カードフル状態であると判定した場合には、ステップＳ３１８に進み、メモリカード９４内に音楽ファイルが存在するか否かの判定を行う。音楽ファイルが存在しなければ、当該メモリカード９４に画像を記録することは不可能であるため、処理を終了する（ステップＳ３２０）。その一方、ステップＳ３１８において、音楽ファイルが存在している場合には、ステップＳ３２２に進み、撮影処理を行うことができる。
【００９３】
その後、Ｎ番目の音楽ファイルを再生し（ステップＳ３３０）、続く消去確認の判定（ステップＳ３３２）において、消去不可と判定した場合（ＮＯ判定時）は、ステップＳ３５１に進む。ステップＳ３５１では、音楽ファイル数とカウント数Ｎが一致したか否かを判定する。カウント数Ｎが音楽ファイル数Ｍと一致していなければ、カウンタを＋１カウントアップ（Ｎ＝Ｎ＋１）する（ステップＳ３５３）。
【００９４】
また、ステップＳ３５１において、カウント数Ｎが音楽ファイル数Ｍと一致した場合（つまり、最後の音楽ファイルを再生した場合）には、カウンタを１に戻す（ステップＳ３５５）。ステップＳ３５３又はステップＳ３５５の後、記録中止の可否を判定する（ステップＳ３５６）。画像の記録を中止する旨の指示が入力された場合（ＹＥＳ判定時）には、記録動作を実施せずに本処理を終了する（ステップＳ３５８）。その一方、ステップＳ３５６において、記録中止の指示無き場合（ＮＯ判定時）は、ステップＳ３３０に戻って消去対象ファイルを変更し、該当する音楽ファイルの再生（消去対象の予告再生）を行う。
【００９５】
図１３は、第６の制御例を示すフローチャートである。図１３中図１１と共通する工程には同一のステップ番号を付し、その説明は省略する。図１３のフローチャートによれば、ステップＳ３３２に示した消去実行の可否判定において消去実行の指示が得られた場合（ＹＥＳ判定時）は、ステップＳ３３５に進む。ステップＳ３３５では、消去対象とした音楽ファイルのファイルサイズの合計が、予定される記録画像のファイルサイズよりも大きいか否かの判定を行う。この判定で、ＹＥＳ判定を得た場合には、選択音楽ファイルを削除する処理を実行した後（ステップＳ３６１）、画像の記録動作を実行する（ステップＳ３６２）。
【００９６】
ステップＳ３３５においてＮＯ判定、すなわち、消去対象とした音楽ファイルのファイルサイズの合計が、予定されている記録画像のファイルサイズよりも小さい場合にはステップＳ３４１に分岐して、更なる消去対象の音楽ファイルの選択を行うようにする。すなわち、ステップＳ３４１では、メモリカード９４内に更なる消去対象となるべき音楽ファイルが存在していないか否か、又は画像の記録を中止する旨の指示が入力されたか否かの判定を行う。メモリカード９４内に消去対象となるべき音楽ファイルが存在していない場合若しくは記録中止の指示が与えられた場合は、記録動作を中止して本処理を終了する（ステップＳ３４２）。
【００９７】
ステップＳ３４１においてメモリカード９４内に更なる消去対象となるべき音楽ファイルが存在しており、かつ記録中止の指示も無い場合には、ステップＳ３５０に進む。そして、音楽ファイル数とカウント数Ｎが一致したか否かを判定し（ステップＳ３５０）、カウント数Ｎが音楽ファイル数Ｍと一致していなければ、カウンタを＋１カウントアップ（Ｎ＝Ｎ＋１）してから（ステップＳ３５２）、ステップＳ３３０に戻る。これにより、次曲が消去対象として予告再生される。
【００９８】
また、ステップＳ３５０において、カウント数Ｎが音楽ファイル数Ｍと一致した場合（つまり、最後の音楽ファイルを再生した場合）には、カウンタを１に戻してから（ステップＳ３５４）、ステップＳ３３０に戻る。こうして、再び先頭の音楽ファイルが消去対象として予告再生される。
【００９９】
ステップＳ３３０〜ステップＳ３５４を経て、撮影画像の記録予定ファイルサイズに見合うだけの１つ又は複数の音楽ファイルが消去対象として選択され、ステップＳ３３５においてＹＥＳ判定を得たら選択された音楽ファイルを削除する処理を実行した後（ステップＳ３６１）、画像の記録動作を実行する（ステップＳ３６２）。こうして、本処理を終了する（ステップＳ３６４）。
【０１００】
なお、図１３の例では、消去対象の音楽ファイルを全て選択し終えてから、これら全ファイルを一斉に消去したが、消去対象のファイルを選択する毎に消去動作を実行してもよい。
【０１０１】
図１４は、第７の制御例を示すフローチャートである。図１４中図１３と共通する工程には同一のステップ番号を付し、その説明は省略する。カードフル状態で撮影動作を行った場合、音声又は画面によるファイル内容の確認を行わず、予め決められた順番に従って音楽ファイルを消去し、画像データのファイルサイズ分の空き容量を確保してから、画像データの記録を実行する態様を示すものである。
【０１０２】
このような制御を実施するために、音楽ファイルの消去順序及び消去の可否などを規定する情報をカメラ１０内のメモリ（例えば、図３のＥＥＰＲＯＭ１０８）或いは外部のメモリカード９４に格納しておく。この消去情報は、画像データ及び音楽データを格納しているメモリ（本例ではメモリカード９４）上に置かれ、音楽データの消去・追加が行われる毎に情報内容が更新される。
【０１０３】
消去順序のデフォルトは、音楽ファイルをダウンロードした順、或いはその逆順、録音時間の長い順、或いは短い順、ファイルサイズの大きい順、或いは小さい順という具合に予め設定される。消去順序は、操作者が消去情報を変更する操作を行うことによって任意に変更することができ、また、消去の可否についても操作者が任意に設定することができる。
【０１０４】
図１４に示したように、撮影動作が行われ（ステップＳ３１０）、カードフル判定（ステップＳ３１２）においてカードフル状態である場合は、音楽ファイルの有無を調べる（ステップＳ３１８）。そして、メモリカード９４内に音楽ファイルが存在しない場合は、記録動作を中止する（ステップＳ３２０）。このとき、操作者に対して「カードフル状態」である旨を知らせる警告を行うことが好ましい。警告の態様としては、液晶モニタ６４に警告メッセージを表示してもよいし、スピーカ２８から警告メッセージを音声出力してもよく、また、表示及び音声による警告を組み合わせてもよい。
【０１０５】
その一方、ステップＳ３１８において、メモリカード９４内に音楽ファイルが存在する場合は、まず、消去情報を検索し（ステップＳ３２５）、消去可能な音楽ファイルを調べる（ステップＳ３２７）。消去許可の設定がなされているファイルが検出されると、そのファイルが消去対象ファイルとして選択される（ステップＳ３２９）。次いで、選択された音楽ファイルのサイズ合計（総サイズ）が、画像ファイルの予定サイズを上回るものであるか否かの判定を行う（ステップＳ３３５）。
【０１０６】
消去対象ファイルサイズの合計が画像ファイルのサイズに満たない場合には、ステップＳ３３７に進み、次に消去可能な音楽ファイルを検索する。すなわち、ステップＳ３３７において、更に消去可能な音楽ファイルの有無を判定し、消去可能なファイルが存在すれば、ステップＳ３２５に戻る。ステップＳ３２５〜ステップＳ３３５を経て、消去対象の音楽ファイルの総サイズが画像ファイルの予定サイズ以上になったら、それら選択された音楽ファイルの消去を実行し（ステップＳ３６１）、その後、画像ファイルを記録する（ステップＳ３６２）。
【０１０７】
また、ステップＳ３３７において、更なる消去可能な音楽ファイルが存在しない場合、すなわち、メモリカード９４内の消去可能な音楽ファイルの総サイズが画像ファイルのサイズに満たなかった場合には、音楽ファイルの消去及び画像ファイルの記録動作を中止して、処理を終了する（ステップＳ３４２）。
【０１０８】
上述した実施の形態では、本発明をデジタルカメラに適用した例を述べたが、本発明の適用範囲は撮像素子を用いて光学像を電気信号に変換する電子カメラに限定されない。すなわち、図７で示した音楽ファイルの消去手順については、カメラに限らず、パソコン、ＭＰ３プレーヤその他の音楽再生装置、携帯情報端末（ＰＤＡ）など、内部又は外部の記録媒体から情報を読み込んで音楽を再生する機能を備えた各種の装置に適用される。
【０１０９】
例えば、図１５に示すように、パソコン１５０のディスプレイ（モニタ）１５２画面にて、マウス１５４又はキーボード１５６等の入力装置を用いて音楽ファイル１５８を選択し、メニュー１６０から「消去」を指定した場合に、当該選択対象の音楽ファイル１５８の一部を再生してスピーカ１６２から出力する。
【０１１０】
また、音楽ファイルをドラッグして、「ごみ箱」にドロップする（捨てる）など、パソコン１５０における通常のファイル操作に従って音楽ファイルの削除を実施しようとした場合に、音楽再生を行って消去実行の確認を促す態様もある。
【０１１２】
【発明の効果】
本発明に係るオーディオ再生機能付きカメラによれば、撮影モードにおける音楽ファイルの消去をスムーズに行い、画像の撮影可能枚数（記録媒体の記録可能領域）を確保することができる。
【図面の簡単な説明】
【図１】本発明の実施形態に係るデジタルカメラの外観斜視図
【図２】図１に示したデジタルカメラの背面図
【図３】本例のデジタルカメラの内部構成を示すブロック図
【図４】メモリカードのディレクトリ構造を示す図
【図５】消去メニューの画面例を示す図
【図６】１曲ずつファイルを指定して音楽ファイルを削除する際の表示画面の例を示す図
【図７】音楽ファイルを消去する手順を示すフローチャート
【図８】撮影モード時に音楽消去を行う第１の制御例を示すフローチャート
【図９】撮影モード時に音楽消去を行う第２の制御例を示すフローチャート
【図１０】撮影モード時に音楽消去を行う第３の制御例を示すフローチャート
【図１１】撮影モード時に音楽消去を行う第４の制御例を示すフローチャート
【図１２】撮影モード時に音楽消去を行う第５の制御例を示すフローチャート
【図１３】撮影モード時に音楽消去を行う第６の制御例を示すフローチャート
【図１４】撮影モード時に音楽消去を行う第７の制御例を示すフローチャート
【図１５】本発明の他の実施形態を示すコンピュータシステムの説明図
【符号の説明】
１０…カメラ（音声ファイル消去装置、オーディオ再生機能付きカメラ）、１２…撮影レンズ、２４…シャッターボタン（指示入力手段、撮影指示手段）、２８，９８…スピーカ（音声出力手段）、３１…リモコン端子、３５…ヘッドホン（音声出力手段）、３６…リモコン（指示入力手段）、５２…左キー、５４…右キー、５６…上／下レバー、５８…メニュー／実行キー（指示入力手段）、６４…液晶モニタ、６８…ＣＣＤ（撮像手段）、７６…画像信号処理回路（信号処理手段）、８０…ＣＰＵ（制御手段、ファイル消去手段、空き容量を検出する手段、記録予定データ量を把握する手段）、８２…ＲＡＭ、８６…ビデオエンコード回路、９２…カードインターフェース（記録手段）、９４…メモリカード（記録媒体）、９６…オーディオデコーダ回路（再生処理手段）
【図１】
0004123327.tif 000002
【図２】
0004123327.tif 000003
【図３】
0004123327.tif 000004
【図４】
0004123327.tif 000005
【図５】
0004123327.tif 000006
【図６】
0004123327.tif 000007
【図７】
0004123327.tif 000008
【図８】
0004123327.tif 000009
【図９】
0004123327.tif 000010
【図１０】
0004123327.tif 000011
【図１１】
0004123327.tif 000012
【図１２】
0004123327.tif 000013
【図１３】
0004123327.tif 000014
【図１４】
0004123327.tif 000015
【図１５】
0004123327.tif 000016